(57)【要約】【課題】フレキシブルプリント基板の折れを防止して、信頼性の高い光ディスク装置を提供することを目的とする。【解決手段】トレイ３が筐体２内に収納される際に、フレキシブルプリント基板１３はその一端が制御基板１２に固定された状態で、トレイ３の可動面の下側で折り曲げられるようにして移動する。その結果、Ａ−Ａ断面で示すように、筐体の底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。トレイ３の可動面のうち、コネクタ１５の近傍であってフレキシブルプリント基板１３が接続される側に切欠部１６が設けられているため、フレキシブルプリント基板１３の屈曲部１３ａは切欠部１６側に突き出すように形成される。【選択図】図３
2005203039.tif 000002
【特許請求の範囲】
【請求項１】
筐体部と、前記筐体部に収納及び引き出しを可能となるように保持されたトレイ部と、前記トレイ部に設けられた回転駆動手段と前記トレイ部に設けられた光ピックアップ部と、前記筐体部と前記トレイ部間で、信号および電力の少なくとも一方を伝達可能とするフレキシブルケーブルを含んで構成され、前記フレキシブルケーブルは略Ｕ字状の形状をなすことによって第１の腕部と第２の腕部とを有し、前記第１の腕部の端部は前記筐体部に接続され、前記第２の腕部は折り返されてその端部は前記トレイ部に接続される光ディスク装置において、前記トレイ部への接続部近傍であって前記フレキシブルケーブルが接続される側に切欠部を設けたことを特徴とする光ディスク装置。
【請求項２】
前記フレキシブルケーブルは筐体部に設けられた制御基板とトレイ部に設けられた制御基板を接続したものであり、制御基板が配置された筐体の底部のうち、前記制御基板の近傍であって、前記トレイが収納されたときに前記フレキシブルケーブルの先端部の下側となる領域に前記底部を貫通する孔を設けたことを特徴とする請求項１記載の光ディスク装置。
【請求項３】
前記フレキシブルケーブルは筐体部に設けられた制御基板とトレイ部に設けられた制御基板を接続したものであり、制御基板が配置された筐体の底部のうち、前記制御基板の近傍であって、前記トレイが収納されたときに前記フレキシブルケーブルの先端部の下側となる領域に前記底部の厚みを薄くするように凹部を設けたことを特徴とする請求項１記載の光ディスク装置。
【請求項４】
前記孔が導電性シートで覆われていることを特徴とする請求項２記載の光ディスク装置。
【請求項５】
前記切欠部が導電性シートで覆われていることを特徴とする請求項１から４のいずれかに記載の光ディスク装置。
【発明の詳細な説明】
【技術分野】
【０００１】
本発明は光ピックアップにより光ディスクの情報を記録再生する光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図１５に示す。
【０００４】
図１５において、１は光ディスク装置であり、光ディスク装置１は、筐体２と、筐体２に出没自在に保持されたトレイ３とを有している。筐体２は、金属製の天部２ａと底部２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。
【０００５】
天部２ａと底部２ｂとは図示していない係止手段と螺旋などを用いて、互いに強固に固定されている。
【０００６】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。
【０００８】
図１６から図２０に、従来の光ディスク装置の筐体の天部２ａを取り払った状態での、光ディスク装置の内部構造を示す。図１６は従来の光ディスク装置について、筐体の天部を取り除いてトレイを引き出した状態での斜視図であり、図１７は従来の光ディスク装置について、筐体の天部を取り除いてトレイを引き出した状態での正面図である。１１は光ディスク装置１をパーソナルコンピュータ等の電子機器に取り付けるためのコネクタであり、１２は光ディスクを駆動するための制御基板である。また、１３はフレキシブルプリント基板であり、このフレキシブルプリント基板１３によって、トレイ３の裏面に設けられた制御基板１４と筐体２内に設置された制御基板１２とが接続されている。
【０００９】
図１８は従来の光ディスク装置について、筐体の天部を取り除いてトレイを筐体に収納した状態を示す図を示しており、トレイ３が筐体２内に収納される際に、フレキシブルプリント基板１３はその一端が制御基板１４に固定された状態で、トレイ３の裏面で折り曲げられるようにして移動する。その結果、図１８のＡ−Ａ断面で示すように、底部２ｂの上面に沿う部分とトレイ３の可動面の下面に沿う部分とが、トレイ３の裏面に設けられた
制御基板１４上のコネクタ１５より外周側の位置で屈曲した状態となってフレキシブルプリント基板１３は収納される。以下の説明では、この屈曲した部分を屈曲部１３ａという。
【００１０】
また、図１９、図２０は、トレイ３の可動面の下側に設けられた制御基板１４の実装面積を大きくし、筐体２内に設置される制御基板１２の実装面積を小さくした光ディスク装置を示す。
【００１１】
図１９は従来の光ディスク装置について、筐体の天部を取り除いてトレイを引き出した状態での正面図である。１１は光ディスク装置１をパーソナルコンピュータ等の電子機器に取り付けるためのコネクタであり、１２は光ディスクを駆動するための制御基板である。また、１３はフレキシブルプリント基板であり、このフレキシブルプリント基板１３によって、トレイ３の可動面の下側に設けられた制御基板１４と筐体２内に設置された制御基板１２とが接続されている。
【００１２】
図２０は従来の光ディスク装置について、筐体の天部を取り除いてトレイを筐体に収納した状態を示す図を示しており、トレイ３が筐体２内に収納される際に、フレキシブルプリント基板１３はその一端が制御基板１２に固定された状態で、トレイ３の裏面で折り曲げられるようにして移動する。その結果、図２０のＡ−Ａ断面で示すように、底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。この光ディスク装置においては、筐体２内に設けられた制御基板１２の実装面積を小さくしているために、フレキシブルプリント基板１３の屈曲部１３ａは、図１８に示す場合よりも光ディスク装置１の外周寄りに形成されようになる。
【００１３】
フレキシブルプリント基板の改良についての技術の一例が（特許文献１）、（特許文献）に記載されている。
【特許文献１】特開平６−３３８１８５号公報
【特許文献２】特許第３０７９９５９号公報
【発明の開示】
【発明が解決しようとする課題】
【００１４】
上述したように、光ディスク装置においては、フレキシブルプリント基板１３は屈曲部１３ａを形成して筐体２内に収納されているが、光ディスク装置は、近年のパーソナルコンピュータの小型化に伴って薄型のものが求められており、光ディスク装置の薄型化が進むほど、フレキシブルプリント基板１３の屈曲部１３ａの曲率半径ｒを小さくせざるを得ない。上記の（特許文献１、２）において開示された技術によって屈曲部の曲率をある程度小さくすることはできるものの、これにも限界がある。屈曲部１３ａの曲率半径ｒが小さくなると、フレキシブルプリント基板１３が折れやすくなり、フレキシブルプリント基板１３が断線すると、光ディスク装置は動作しなくなる。
【００１５】
本発明は、上記の課題を解決するためになされたもので、フレキシブルプリント基板の折れを防止して、信頼性の高い光ディスク装置を提供することを目的とする。
【課題を解決するための手段】
【００１６】
本発明は、上記の課題を解決するためになされたもので、筐体部と、前記筐体部に収納及び引き出しを可能となるように保持されたトレイ部と、前記トレイ部に設けられた回転駆動手段と前記トレイ部に設けられた光ピックアップ部と、前記筐体部と前記トレイ部間で、信号および電力の少なくとも一方を伝達可能とするフレキシブルケーブルを含んで構成され、前記フレキシブルケーブルは略Ｕ字状の形状をなすことによって第１の腕部と第
２の腕部とを有し、前記第１の腕部の端部は前記筐体部に接続され、前記第２の腕部は折り返されてその端部は前記トレイ部に接続される光ディスク装置において、前記トレイ部への接続部近傍であって前記フレキシブルケーブルが接続される側に切欠部を設けたことを特徴とする光ディスク装置である。
【００１７】
トレイ部への接続部近傍であってフレキシブルケーブルが接続される側に切欠部が設けられているため、トレイが筐体に収納されたときに、フレキシブルケーブルの屈曲部は切欠部側に突き出すように形成される。そのため、屈曲部の曲率半径を大きくすることができ、フレキシブルケーブルの折れを防止することができる。
【発明の効果】
【００１８】
本発明によると、トレイが筐体に収納されたときに、フレキシブルケーブルの屈曲部の曲率半径を大きくした状態で光ディスク装置を動作させることができるため、フレキシブルケーブルの折れを防止することができ、信頼性の高い光ディスク装置を実現することができる。
【発明を実施するための最良の形態】
【００１９】
本願の請求項１の発明は、筐体部と、前記筐体部に収納及び引き出しを可能となるように保持されたトレイ部と、前記トレイ部に設けられた回転駆動手段と前記トレイ部に設けられた光ピックアップ部と、前記筐体部と前記トレイ部間で、信号および電力の少なくとも一方を伝達可能とするフレキシブルケーブルを含んで構成され、前記フレキシブルケーブルは略Ｕ字状の形状をなすことによって第１の腕部と第２の腕部とを有し、前記第１の腕部の端部は前記筐体部に接続され、前記第２の腕部は折り返されてその端部は前記トレイ部に接続される光ディスク装置において、前記トレイ部への接続部近傍であって前記フレキシブルケーブルが接続される側に切欠部を設けたことを特徴とする光ディスク装置である。
【００２０】
トレイ部への接続部近傍であってフレキシブルケーブルが接続される側に切欠部が設けられているため、トレイが筐体に収納されたときに、フレキシブルケーブルの屈曲部は切欠部側に突き出すように形成される。そのため、屈曲部の曲率半径を大きくすることができ、フレキシブルケーブルの折れを防止することができる。
【００２１】
本願の請求項２の発明は、本願の請求項１の発明において、前記フレキシブルケーブルは筐体部に設けられた制御基板とトレイ部に設けられた制御基板を接続したものであり、制御基板が配置された筐体の底部のうち、前記制御基板の近傍であって、前記トレイが収納されたときに前記フレキシブルケーブルの先端部の下側となる領域に前記底部を貫通する孔を設けたことを特徴とする。
【００２２】
これにより、フレキシブルケーブルの屈曲部は孔側にも突き出すように形成されるため、屈曲部の曲率半径を大きくすることができ、フレキシブルケーブルの折れを防止することができる。
【００２３】
本願の請求項３の発明は、本願の請求項１の発明において、前記フレキシブルケーブルは筐体部に設けられた制御基板とトレイ部に設けられた制御基板を接続したものであり、制御基板が配置された筐体の底部のうち、前記制御基板の近傍であって、前記トレイが収納されたときに前記フレキシブルケーブルの先端部の下側となる領域に前記底部の厚みを薄くするように凹部を設けたことを特徴とする。
【００２４】
これにより、フレキシブルケーブルの屈曲部は凹部側にも突き出すように形成されるため、屈曲部の曲率半径を大きくすることができ、フレキシブルケーブルの折れを防止する
ことができる。
【００２５】
本願の請求項４の発明は、本願の請求項２の発明において、前記孔が導電性シートで覆われていることを特徴とする。これにより、屈曲部の曲率半径を大きくしつつ、導電性シートによって電気的に遮蔽することが可能であるため、外部から筐体への電磁波の侵入と筐体から外部への電磁波の放射を防止することができる。
【００２６】
本願の請求項５の発明は、本願の請求項１から請求項４のいずれかの発明において、前記切欠部が導電性シートで覆われていることを特徴とする。これにより、屈曲部の曲率半径を大きくしつつ、導電性シートによって電気的に遮蔽することが可能であるため、外部から筐体への電磁波の侵入と筐体から外部への電磁波の放射を防止することができる。
【００２７】
以下に、本発明の光ディスク装置をその実施の形態に基づいて説明する。
【００２８】
（実施の形態１）
図１から図３に、本発明の実施の形態１に係る光ディスク装置を示す。図１は本発明の実施の形態１に係る光ディスク装置について、筐体の天部を取り除いてトレイを引き出した状態での斜視図であり、図２は本発明の実施の形態１に係る光ディスク装置について、筐体の天部を取り除いてトレイを引き出した状態での正面図である。光ディスク装置１は、筐体２と、筐体２に出没自在に保持されたトレイ３とを有している。筐体２は、金属製の天部２ａと底部２ｂとを組み合わせて袋状であり、筐体２の開口からトレイ３が出没する構成となっている。
【００２９】
なお、図１では一方の側部にのみレール３ａが設けられているが、他方の側部に同様のレールが設けられていてもよい。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、天部２ａ及び底部２ｂそれぞれ同種の材料で構成しても良いし、異種の材料で構成しても良い。また、天部２ａ及び底部２ｂそれぞれの主平面部の平均肉厚は０．３ｍｍ〜１．６ｍｍの間であり、この平均肉厚の比較的薄い場合には天部２ａ及び底部２ｂは金属材料で構成され、例えば、金属板をプレス加工などによって形成される。また、平均肉厚の比較的厚い場合には天部２ａ及び底部２ｂはダイカスト（アルミ，マグネシウム合金など）で構成される。
【００３０】
トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。
【００３１】
光ピックアップモジュール４には光ディスク９を回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【００３２】
キャリッジ７には、高出力のレーザーダイオード等の光源，各種光学部材及び光ディスク上に光スポットを構成する対物レンズなどが搭載されている。
【００３３】
１１は光ディスク装置１をパーソナルコンピュータ等の電子機器に取り付けるためのコ
ネクタであり、１２は光ディスク９を駆動するための制御基板である。また、１３は光ピックアップモジュール４への電力の供給もしくは信号の入出力の少なくとも一方を行う接続線として使用されるフレキシブルプリント基板であり、このフレキシブルプリント基板１３によって、トレイ３の下側でトレイ３と底部２ｂの間の空間に設けられた制御基板１４と筐体２内に設置された制御基板１２とが接続されている。図１において破線で示す領域である１６は、トレイ３の可動面のうち、コネクタ１５の近傍であってフレキシブルプリント基板１３が接続される側に設けられた切欠部である。フレキシブルプリント基板１３は第１の腕部１３ｂと第２の腕部１３ｃとを有し、第１の腕部１３ｂの端部は筐体２に設けられた制御基板１２に接続され、第２の腕部１３ｃは折り返されてその端部はトレイ３の下側に設けられた制御基板１４に接続される。
【００３４】
図３は本発明の実施の形態１に係る光ディスク装置について、筐体の天部を取り除いてトレイを筐体に収納した状態を示す図を示しており、トレイ３が筐体２内に収納される際に、フレキシブルプリント基板１３はその一端が制御基板１４に固定された状態で、トレイ３の裏面で折り曲げられるようにして移動する。その結果、図３のＡ−Ａ断面で示すように、底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。この際、トレイ３のコネクタ１５の近傍であってフレキシブルプリント基板１３が接続される側に切欠部１６が設けられているため、フレキシブルプリント基板１３の屈曲部１３ａは切欠部１６側に突き出すように形成される。そのため、屈曲部１３ａの曲率半径ｒを大きくすることができ、フレキシブルプリント基板１３の折れを防止することができる。
【００３５】
また、このことから、切欠部１６はトレイ３の収納状態において、少なくとも屈曲部１３ａが切欠部１６に収まることが望ましい。また、屈曲部１３ａの曲率半径ｒやその中心位置は、フレキシブルプリント基板１３の弾性や厚みや幅や取付方法等によって設定されるが、屈曲部１３ａがトレイ３の表面から突出しないことが望ましい。但し、トレイ３の引き出し状態において屈曲部１３ａがトレイ３から突出する場合は、光ディスク９を装着すると屈曲部１３ａと光ディスク９が接触するが、光ディスク９は回転駆動されていないので、屈曲部１３ａと光ディスク９が擦れ合うことは少なく、接触は問題にならない場合がある。この場合においてさらに、フレキシブルプリント基板１３の弾性や厚みや幅や長さや取付方法等を所定量に設定することにより、トレイ３を筐体２に収納した状態では、屈曲部１３ａのトレイ３からの突出をなくすことが可能である。こうすることによって、光ディスク９が回転駆動されるトレイ３の収納状態においては、光ディスク９と屈曲部１３ａは接触しない為、結局、フレキシブルプリント基板１３との接触によって光ディスクに傷を付けることを回避することができる。
【００３６】
（実施の形態２）
図４から図６に、本発明の実施の形態２に係る光ディスク装置を示す。図４は本発明の実施の形態２に係る光ディスク装置について、筐体の天部を取り除いてトレイを引き出した状態での斜視図、図５は本発明の実施の形態２に係る光ディスク装置について、筐体の天部を取り除いてトレイを引き出した状態での正面図、図６は本発明の実施の形態２に係る光ディスク装置について、筐体の天部を取り除いてトレイを筐体に収納した状態を示す図である。この実施の形態が実施の形態１と異なるのは、図４において破線で示す領域である切欠部１６を、トレイ３のコネクタ１５の近傍であってフレキシブルプリント基板１３が接続される側に設けたばかりでなく、図５に示すように、筐体２の底部２ｂのうち、制御基板１２の近傍であって、トレイ３が収納されたときにフレキシブルプリント基板１３の屈曲部１３ａの下側となる領域に底部２ｂを貫通する孔１７を設けていることである。
【００３７】
図６はトレイ３を筐体２内に収納した状態を示しており、トレイ３が筐体２内に収納される際に、フレキシブルプリント基板１３はその一端が制御基板１４に固定された状態で、トレイ３の裏面で折り曲げられるようにして移動する。その結果、図６のＡ−Ａ断面で示すように、底部２ｂの上面に沿う部分とトレイ３の可動面の下面に沿う部分とが、トレイ３の可動面の下側に設けられた制御基板１４上のコネクタ１５より光ディスク９の外周側の位置で屈曲した状態となり、屈曲部１３ａを形成して収納される。この際、トレイ３のコネクタ１５の近傍であってフレキシブルプリント基板１３が接続される側に切欠部１６が設けられているため、フレキシブルプリント基板１３の屈曲部１３ａは切欠部１６側に突き出すように形成される。さらに、筐体２の底部２ｂのうち、制御基板１２の近傍であって、トレイ３が収納されたときにフレキシブルプリント基板１３の先端部の下側となる領域に孔１７が設けられているため、フレキシブルプリント基板１３の屈曲部１３ａは孔１７側にも突き出すように形成される。そのため、屈曲部１３ａの曲率半径ｒを大きくすることができ、フレキシブルプリント基板１３の折れを防止することができる。屈曲部１３ａの孔１７への突き出し量は底部２ｂの厚み分であってもよいし、光ディスク装置１を電子機器に装着時においても接触等の問題が生じないならば、孔１７から筐体２の外側に突出してもよい。
【００３８】
（実施の形態３）
図７から図８に、本発明の実施の形態３に係る光ディスク装置を示す。図７は本発明の実施の形態３に係る光ディスク装置について、筐体の天部を取り除いてトレイを引き出した状態での正面図、図８は本発明の実施の形態３に係る光ディスク装置について、筐体の天部を取り除いてトレイを筐体に収納した状態を示す図である。この実施の形態が実施の形態１と異なるのは、切欠部１６を、トレイ３の可動面のうちコネクタ１５の近傍であってフレキシブルプリント基板１３が接続される側に設けたばかりでなく、図７に示すように、筐体２の底部２ｂのうち、制御基板１２の近傍であって、トレイ３が収納されたときにフレキシブルプリント基板１３の先端部の下側となる領域に底部２ｂの厚みを薄くするように凹部１８を設けていることである。
【００３９】
図８はトレイ３を筐体２内に収納した状態を示しており、トレイ３が筐体２内に収納される際に、フレキシブルプリント基板１３はその一端が制御基板１４に固定された状態で、トレイ３の裏面で折り曲げられるようにして移動する。その結果、図８のＡ−Ａ断面で示すように、底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。この際、トレイ３のコネクタ１５の近傍であってフレキシブルプリント基板１３が接続される側に切欠部１６が設けられているため、フレキシブルプリント基板１３の屈曲部１３ａは切欠部１６側に突き出すように形成される。さらに、底部２ｂのうち、制御基板１２の近傍であって、トレイ３が収納されたときにフレキシブルプリント基板１３の先端部の下側となる領域に凹部１８が設けられているため、フレキシブルプリント基板１３の屈曲部１３ａは凹部１８側にも突き出すように形成される。そのため、屈曲部１３ａの曲率半径ｒを大きくすることができ、フレキシブルプリント基板１３の折れを防止することができる。ここで、凹部１８の形成においても、接触等の問題が生じないならば底部２ｂを筐体２の内側から押し出す加工を行って、筐体２の内側から見て凹部１８を形成するものであってもよい。
【００４０】
（実施の形態４）
図９から図１０に、本発明の実施の形態４に係る光ディスク装置を示す。図９は本発明の実施の形態４に係る光ディスク装置について、筐体の天部を取り除いてトレイを引き出した状態での正面図、図１０は本発明の実施の形態４に係る光ディスク装置について、筐体の天部を取り除いてトレイを筐体に収納した状態を示す図である。この実施の形態は、トレイ３の可動面の下側に設けられた制御基板１４の実装面積を大きくして、筐体２内に
設置される制御基板１２の実装面積を小さくした光ディスク装置についてのものである。切欠部１６が、トレイ３のコネクタ１５の近傍であってフレキシブルプリント基板１３が接続される側に設けられている。
【００４１】
図１０はトレイ３を筐体２内に収納した状態を示しており、トレイ３が筐体２内に収納される際に、フレキシブルプリント基板１３はその一端が制御基板１４に固定された状態で、トレイ３の裏面で折り曲げられるようにして移動する。その結果、図１０のＡ−Ａ断面で示すように、底部２ｂの上面に沿う部分とトレイ３の可動面の下面に沿う部分とが、トレイ３の可動面の下側に設けられた制御基板１４上のコネクタ１５より光ディスク９の外周側の位置で屈曲した状態となり、屈曲部１３ａを形成して収納される。この際、トレイ３のうち、コネクタ１５の近傍であってフレキシブルプリント基板１３が接続される側に切欠部１６が設けられているため、フレキシブルプリント基板１３の屈曲部１３ａは切欠部１６側に突き出すように形成される。そのため、屈曲部１３ａの曲率半径ｒを大きくすることができ、フレキシブルプリント基板１３の折れを防止することができる。
【００４２】
また、この光ディスク装置においては、筐体２内に設置される制御基板１２の実装面積を小さくしているために、図３に示す実施の形態１の場合よりも、屈曲部１３ａが筐体２の光ディスクの外周側に形成されることとなる。そのため、光ディスク９と屈曲部１３ａとが接触することを避けることができ、フレキシブルプリント基板１３が光ディスク９との接触によって擦れることを防止することができる。
【００４３】
（実施の形態５）
図１１から図１２に、本発明の実施の形態５に係る光ディスク装置を示す。図１１は本発明の実施の形態５に係る光ディスク装置について、筐体の天部を取り除いてトレイを引き出した状態での正面図、図１２は本発明の実施の形態５に係る光ディスク装置について、筐体の天部を取り除いてトレイを筐体に収納した状態を示す図である。この実施の形態も、トレイ３の可動面の下側に設けられた制御基板１４の実装面積を大きくして、筐体２内に設置される制御基板１２の実装面積を小さくした光ディスク装置についてのものである。切欠部１６が、トレイ３のコネクタ１５の近傍であってフレキシブルプリント基板１３が接続される側に設けられている。また、筐体２の底部２ｂのうち、制御基板１２の近傍であって、トレイ３が収納されたときにフレキシブルプリント基板１３の先端部の下側となる領域に底部２ｂを貫通する孔１７が設けられている。
【００４４】
図１２はトレイ３を筐体２内に収納した状態を示しており、トレイ３が筐体２内に収納される際に、フレキシブルプリント基板１３はその一端が制御基板１４に固定された状態で、トレイ３の裏面で折り曲げられるようにして移動する。その結果、図１２のＡ−Ａ断面で示すように、底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。この際、トレイ３のコネクタ１５の近傍であってフレキシブルプリント基板１３が接続される側に切欠部１６が設けられているため、フレキシブルプリント基板１３の屈曲部１３ａは切欠部１６側に突き出すように形成される。そのため、屈曲部１３ａの曲率半径ｒを大きくすることができ、フレキシブルプリント基板１３の折れを防止することができる。さらに、底部２ｂのうち、制御基板１２の近傍であって、トレイ３が収納されたときにフレキシブルプリント基板１３の先端部の下側となる領域に孔１７が設けられているため、フレキシブルプリント基板１３の屈曲部１３ａは孔１７側にも突き出すように形成される。そのため、屈曲部１３ａの曲率半径を大きくすることができ、フレキシブルプリント基板１３の折れを防止することができる。
【００４５】
また、この光ディスク装置１においては、筐体２内に設置される制御基板１２の実装面
積を小さくしているために、図６に示す実施の形態２の場合よりも、屈曲部１３ａが筐体２の外周側に形成されることとなる。そのため、光ディスク９と屈曲部１３ａとが接触することを避けることができ、フレキシブルプリント基板１３が光ディスク９との接触によって擦れることを防止することができる。
【００４６】
（実施の形態６）
図１３から図１４に、本発明の実施の形態６に係る光ディスク装置を示す。図１３は本発明の実施の形態６に係る光ディスク装置について、筐体の天部を取り除いてトレイを引き出した状態での正面図、図１４は本発明の実施の形態６に係る光ディスク装置について、筐体の天部を取り除いてトレイを筐体に収納した状態を示す図である。この実施の形態も、トレイ３の可動面の下側に設けられた制御基板１４の実装面積を大きくして、筐体２内に設置される制御基板１２の実装面積を小さくした光ディスク装置についてのものである。切欠部１６が、トレイ３のコネクタ１５の近傍であって、フレキシブルプリント基板１３が接続される側に設けられている。また、筐体２の底部２ｂのうち、制御基板１２の近傍であって、トレイ３が収納されたときにフレキシブルプリント基板１３の先端部の下側となる領域に底部２ｂの厚みを薄くするように凹部１８が設けられている。
【００４７】
図１４はトレイ３を筐体２内に収納した状態を示しており、トレイ３が筐体２内に収納される際に、フレキシブルプリント基板１３はその一端が制御基板１４に固定された状態で、トレイ３の裏面で折り曲げられるようにして移動する。その結果、図１４のＡ−Ａ断面で示すように、底部２ｂの上面に沿う部分とトレイ３の可動面の下面に沿う部分とが、トレイ３の可動面の下側に設けられた制御基板１４上のコネクタ１５より外周側の位置で屈曲した状態となり、屈曲部１３ａを形成して収納される。この際、トレイ３のコネクタ１５の近傍であってフレキシブルプリント基板１３が接続される側に切欠部１６が設けられているため、フレキシブルプリント基板１３の屈曲部１３ａは切欠部１６側に突き出すように形成される。さらに、底部２ｂのうち、制御基板１２の近傍であって、トレイ３が収納されたときにフレキシブルプリント基板１３の先端部の下側となる領域に凹部１８が設けられているため、フレキシブルプリント基板１３の屈曲部１３ａは凹部１８側にも突き出すように形成される。そのため、屈曲部１３ａの曲率半径ｒを大きくすることができ、フレキシブルプリント基板１３の折れを防止することができる。
【００４８】
また、この光ディスク装置１においては、筐体２内に設置される制御基板１２の実装面積を小さくしているために、図８に示す実施の形態３の場合よりも、屈曲部１３ａが筐体２の外周側に形成されることとなる。そのため、光ディスク９と屈曲部１３ａとが接触することを避けることができ、フレキシブルプリント基板１３が光ディスク９との接触によって擦れることを防止することができる。
【００４９】
以上のいずれの実施の形態においても、切欠部１６、あるいは孔１７を導電性シートで覆うことができる。導電性シートで切欠部１６、あるいは孔１７を覆っても屈曲部１３ａの曲率半径を大きくすることは可能であり、導電性シートによって電気的に遮蔽することが可能であるため、外部から筐体内への電磁波の侵入と筐体内から外部への電磁波の放射を防止することができる。
【産業上の利用可能性】
【００５０】
本発明は光ピックアップにより光ディスクの情報を記録再生する光ディスク装置として利用することができ、フレキシブルプリント基板の折れを防止して、信頼性の高い光ディスク装置を実現することができる。
【図面の簡単な説明】
【００５１】
【図１】本発明の実施の形態１に係る光ディスク装置について、筐体の天部を取り除いてトレイを引き出した状態での斜視図
【図２】本発明の実施の形態１に係る光ディスク装置について、筐体の天部を取り除いてトレイを引き出した状態での正面図
【図３】本発明の実施の形態１に係る光ディスク装置について、筐体の天部を取り除いてトレイを筐体に収納した状態を示す図
【図４】本発明の実施の形態２に係る光ディスク装置について、筐体の天部を取り除いてトレイを引き出した状態での斜視図
【図５】本発明の実施の形態２に係る光ディスク装置について、筐体の天部を取り除いてトレイを引き出した状態での正面図
【図６】本発明の実施の形態２に係る光ディスク装置について、筐体の天部を取り除いてトレイを筐体に収納した状態を示す図
【図７】本発明の実施の形態３に係る光ディスク装置について、筐体の天部を取り除いてトレイを引き出した状態での正面図
【図８】本発明の実施の形態３に係る光ディスク装置について、筐体の天部を取り除いてトレイを筐体に収納した状態を示す図
【図９】本発明の実施の形態４に係る光ディスク装置について、筐体の天部を取り除いてトレイを引き出した状態での正面図
【図１０】本発明の実施の形態４に係る光ディスク装置について、筐体の天部を取り除いてトレイを筐体に収納した状態を示す図
【図１１】本発明の実施の形態５に係る光ディスク装置について、筐体の天部を取り除いてトレイを引き出した状態での正面図
【図１２】本発明の実施の形態５に係る光ディスク装置について、筐体の天部を取り除いてトレイを筐体に収納した状態を示す図
【図１３】本発明の実施の形態６に係る光ディスク装置について、筐体の天部を取り除いてトレイを引き出した状態での正面図
【図１４】本発明の実施の形態６に係る光ディスク装置について、筐体の天部を取り除いてトレイを筐体に収納した状態を示す図
【図１５】従来の光ディスク装置の斜視図
【図１６】従来の光ディスク装置について、筐体の天部を取り除いてトレイを引き出した状態での斜視図
【図１７】従来の光ディスク装置について、筐体の天部を取り除いてトレイを引き出した状態での正面図
【図１８】従来の光ディスク装置について、筐体の天部を取り除いてトレイを筐体に収納した状態を示す図
【図１９】従来の光ディスク装置について、筐体の天部を取り除いてトレイを引き出した状態での正面図
【図２０】従来の光ディスク装置について、筐体の天部を取り除いてトレイを筐体に収納した状態を示す図
【符号の説明】
【００５２】
１    光ディスク装置
２    筐体
２ａ    天部
２ｂ    底部
３    トレイ
３ａ    レール
３ｂ    レール保持部
３ｃ    開口
４    光ピックアップモジュール
５    スピンドルモータ
６    カバー
６ａ    開口
７    キャリッジ
８    ベゼル
９    光ディスク
１１    コネクタ
１２    制御基板
１３    フレキシブルプリント基板
１３ａ    屈曲部
１３ｂ    第１の腕部
１３ｃ    第２の腕部
１４    制御基板
１５    コネクタ
１６    切欠部
１７    孔
１８    凹部
【図１】
2005203039.tif 000003
【図２】
2005203039.tif 000004
【図３】
2005203039.tif 000005
【図４】
2005203039.tif 000006
【図５】
2005203039.tif 000007
【図６】
2005203039.tif 000008
【図７】
2005203039.tif 000009
【図８】
2005203039.tif 000010
【図９】
2005203039.tif 000011
【図１０】
2005203039.tif 000012
【図１１】
2005203039.tif 000013
【図１２】
2005203039.tif 000014
【図１３】
2005203039.tif 000015
【図１４】
2005203039.tif 000016
【図１５】
2005203039.tif 000017
【図１６】
2005203039.tif 000018
【図１７】
2005203039.tif 000019
【図１８】
2005203039.tif 000020
【図１９】
2005203039.tif 000021
【図２０】
2005203039.tif 000022